(57)【要約】【課題】弾性弁体が劣化したときにもその脱落を確実に防止することができるコネクタを提供する。【解決手段】コネクタ１は、流入口２１と流出口２２とを接続する接続空間部２３と、空洞部２４とを備えるコネクタ本体２と、混注口３１を備え空洞部２４の上端部を閉塞する弾性弁体３と、キャップ部材４とを備え、弾性弁体３は貫通孔３２ａ，３２ｂに突起部２６，２７が挿通され、突起部２６，２７の先端が穴４２ａ，４２ｂに収容された状態で、コネクタ本体２とキャップ部材３とに挟持される。【選択図】  図２
2020099440.tif 000002
【特許請求の範囲】
【請求項１】
輸液ラインの途中に接続されて該輸液ラインに対する混注に用いられるコネクタであって、
該輸液ラインから液体が流入する流入口と、液体が該輸液ラインに流出する流出口と、該流入口と該流出口とを接続する接続空間部と、該接続空間部に連通する空洞部とを備えるコネクタ本体と、
上端面に該空洞部に連通する混注口を備え、該空洞部の上端部を閉塞する円盤状の弾性弁体と、
該弾性弁体の上端面を露出させる一方、該コネクタ本体に固定するキャップ部材とを備え、
該コネクタ本体は該空洞部の上端面の周方向に沿って複数の突起部を備え、該弾性弁体は該突起部が挿通される複数の貫通孔を備え、該キャップ部材は該弾性弁体の該貫通孔から突出する該突起部を収容する複数の穴部を備え、
該弾性弁体は該貫通孔に該突起部が挿通された状態で、該コネクタ本体と該キャップ部材とに挟持されることを特徴とするコネクタ。
【請求項２】
請求項１記載のコネクタにおいて、前記突起部は、中実円柱状であることを特徴とするコネクタ。
【請求項３】
請求項１記載のコネクタにおいて、前記突起部は、平面視円弧状の中実壁状体であることを特徴とするコネクタ。
【請求項４】
請求項１乃至請求項３のいずれか１項記載のコネクタにおいて、前記接続空間部の中央よりも上流側に立設されて該接続空間部を上流側と下流側とに区画する仕切り部材とを備えることを特徴とするコネクタ。
【請求項５】
請求項４記載のコネクタにおいて、前記コネクタ本体は、前記接続空間部の底部に開口する開口部と、該開口部を閉塞する底蓋部材とを備え、前記仕切り部材は該底蓋部材に立設されていることを特徴とするコネクタ。
【発明の詳細な説明】
【技術分野】
【０００１】
本発明は、輸液ラインに対する混注に用いられるコネクタに関する。
【背景技術】
【０００２】
従来、輸液ラインの途中に接続されて該輸液ラインに対する薬液等の混注に用いられるコネクタが知られている（例えば、特許文献１参照）。
【０００３】
前記コネクタは、輸液ラインから輸液等の液体が流入する流入口と、該液体が該輸液ラインに流出する流出口と、該流入口と該流出口とを接続する接続空間部と、該接続空間部に連通する空洞部とを備えるコネクタ本体と、該空洞部の上端部を閉塞する弾性弁体と、該弾性弁体の上端面を露出させる一方、該コネクタ本体に固定するキャップ部材とを備えている。前記混注口は混注に用いられる注射筒の先端部等のオスルアーが挿入されたときに空洞部に連通する。
【０００４】
前記コネクタにおいて、前記弾性弁体は円盤状体からなり、その周縁部に沿って環状の括れ部を備えている。前記キャップ部材は、いずれも前記コネクタ本体に支持された天面キャップ及び底面キャップからなり、前記弾性弁体は前記括れ部の上下から該天面キャップ及び底面キャップに挟持されている。
【先行技術文献】
【特許文献】
【０００５】
【特許文献１】特開２０１８−１３０５０１号公報
【発明の概要】
【発明が解決しようとする課題】
【０００６】
しかしながら、特許文献１に記載の前記コネクタでは、前記混注口に対する注射筒の先端部の挿入及び抜去を繰り返すと前記弾性弁体が次第に劣化して天面キャップ及び底面キャップから脱落することがあるという不都合がある。
【０００７】
本発明は、かかる不都合を解消して、弾性弁体が劣化したときにもキャップ部材からの脱落を確実に防止することができるコネクタを提供することを目的とする。
【課題を解決するための手段】
【０００８】
かかる目的を達成するために、本発明のコネクタは、輸液ラインの途中に接続されて該輸液ラインに対する混注に用いられるコネクタであって、該輸液ラインから液体が流入する流入口と、液体が該輸液ラインに流出する流出口と、該流入口と該流出口とを接続する接続空間部と、該接続空間部に連通する空洞部とを備えるコネクタ本体と、上端面に該空洞部に連通する混注口を備え、該空洞部の上端部を閉塞する円盤状の弾性弁体と、該弾性弁体の上端面を露出させる一方、該コネクタ本体に固定するキャップ部材とを備え、該コネクタ本体は該空洞部の上端面の周方向に沿って複数の突起部を備え、該弾性弁体は該突起部が挿通される複数の貫通孔を備え、該キャップ部材は該弾性弁体の該貫通孔から突出する該突起部を収容する複数の穴部を備え、該弾性弁体は該貫通孔に該突起部が挿通された状態で、該コネクタ本体と該キャップ部材とに挟持されることを特徴とする。
【０００９】
本発明のコネクタでは、上端面に前記混注口を有する円盤状の前記弾性弁体により前記空洞部の上端部が閉塞されるが、このとき前記弾性弁体の貫通孔には前記コネクタ本体の該空洞部の上端面に設けられた突起部が挿通され、該突起部の貫通孔から突出する部分は、前記キャップ部材の前記穴部に収容される。この結果、前記弾性弁体は、前記貫通孔に前記突起部が挿通された状態で、前記コネクタ本体と前記キャップ部材とに挟持されることとなる。
【００１０】
従って、本発明のコネクタによれば、前記混注口に対する注射筒の先端部の挿入及び抜去が繰り返され、前記弾性弁体が劣化したときにも、該弾性弁体の前記キャップ部材からの脱落を確実に防止することができる。
【００１１】
本発明のコネクタにおいて、前記突起部は、中実円柱状であってもよく、平面視円弧状の中実壁状体であってもよい。前記突起部が中実円柱状であるときには、前記混注口に注射筒の先端部が挿入されたときに、前記弾性弁体の変形の自由度を高くすることができる。一方、前記突起部が中実壁状体であるときには該突起部の強度が大きくなるので、前記弾性弁体が劣化したときに、該弾性弁体の前記キャップ部材からの脱落をさらに確実に防止することができる。
【００１２】
また、本発明のコネクタは、前記接続空間部の中央よりも上流側に立設されて該接続空間部を上流側と下流側とに区画する仕切り部材とを備えることが好ましい。
【００１３】
本発明のコネクタでは、混注を行うとき以外は、輸液ラインから前記流入口を介して流入した輸液等の液体はそのまま前記接続空間部から前記流出口を介して輸液ラインに流出する。しかし、前記空洞部は前記流入口から前記流出口に至る液体の流れに影響を受けない死空間となるので、前記輸液等の液体は一旦該空洞部に流入するとそのまま該空洞部に滞留することが懸念される。
【００１４】
しかし、本発明のコネクタでは、前記仕切り部材を備えることにより、輸液ラインから前記流入口を介して前記接続空間部の上流側の区画に流入した輸液等の液体が、該仕切り部材の表面に沿って前記空洞部に案内され、該空洞部内で反転し、該接続空間部の下流側の区画から前記流出口を介して輸液ラインに流出する。従って、本発明のコネクタによれば、前記仕切り部材を備えることにより、従来は死空間となる前記空洞部に前記液体を滞留させることなく輸液ラインに流出させることができる。
【００１５】
一方、本発明のコネクタでは、混注を行うときには、混注に用いる注射筒の先端等が前記接続空間部の下流側の区画に開口することになるので、該注射筒から供給される混注液を容易に前記輸液等の液体と混合して、前記流出口を介して輸液ラインに流出させることができる。
【００１６】
また、本発明のコネクタにおいて、前記コネクタ本体は、前記接続空間部の底部に開口する開口部と、該開口部を閉塞する底蓋部材とを備え、前記仕切り部材は該底蓋部材に立設されていることが好ましい。本発明のコネクタによれば、前記コネクタ本体と、前記仕切り部材が立設された前記底蓋部材とを別体に構成することにより、容易に製造することができる。
【図面の簡単な説明】
【００１７】
【図１】本発明のコネクタの一構成例を示す斜視図。
【図２】図１のII-II線断面を示す説明的断面図。
【図３】Ａは本発明のコネクタの使用方法を示す説明的断面図、Ｂは弾性弁体の混注口に注射筒の先端部を挿入した状態を示す説明的断面図。
【図４】本発明のコネクタの他の構成例を示す斜視図。
【発明を実施するための形態】
【００１８】
次に、添付の図面を参照しながら本発明の実施の形態についてさらに詳しく説明する。
【００１９】
図１に示すように、本実施形態のコネクタ１は、図示しない輸液ラインの途中に接続されて該輸液ラインに対する薬液等の混注に用いられる医療用器具であり、コネクタ本体２と、弾性弁体３と、キャップ部材４と、底蓋部材５とからなる。
【００２０】
コネクタ本体２は、図示しない輸液ラインから液体が流入する流入口２１と、該液体が該輸液ラインに流出する流出口２２と、流入口２１と流出口２２とを接続する接続空間部２３と、接続空間部２３の上部に連通する空洞部２４と、接続空間部２３の底部に開口する開口部２５とを備えている。流入口２１と流出口２２とはコネクタ本体２の側面の互いに対称となる位置に、直線状に配置されている。また、空洞部２４は、その上端縁に周方向に沿って、複数の突起部として、例えば６本の中実円柱状体からなるピン２６を備えている。
【００２１】
弾性弁体３は、円盤状のシリコーンゴム等の柔軟な弾性体からなり、混注に用いられる注射筒の先端部６（図３参照）等のオスルアーが挿入される混注口３１と、周縁部に周方向に沿ってピン２６に対応して形成された断面円形の貫通孔３２ａとを備えている。混注口３１はその底部と空洞部２４との間に薄肉部を存しており、混注に用いられる注射筒の先端部６（図３参照）が挿入されると該薄肉部が開裂して空洞部２４に連通するものでもよく、該薄肉部を備えず通常は閉じており、注射筒の先端部６が挿入されると空洞部２４に連通するものでもよい。
【００２２】
キャップ部材４は、円盤状の弾性弁体３の上端面を露出させる開口部４１と、開口部４１の周囲に周方向に沿ってピン２６に対応して形成された断面円形の穴４２ａとを備えている。穴４２ａは、キャップ部材４の弾性弁体３側の底面に開口している。
【００２３】
底蓋部材５は、開口部２５を閉塞したときに、接続空間部２３の中央よりも上流側に位置するように立設された仕切り部材５１と、周縁部から開口部２５方向に突出する複数の突起部５２とを備えている。
【００２４】
コネクタ１では、図２に示すように、コネクタ本体２の空洞部２４の上端縁に形成されたピン２６が弾性弁体３の貫通孔３２ａに挿通され、ピン２６の先端の貫通孔３２ａから突出する部分がキャップ部材４の穴４２ａに収容され、ピン２６の該先端は超音波融着等によりキャップ部材４に融着される。この結果、円盤状の弾性弁体３は、貫通孔３２ａにピン２６が挿通された状態で、コネクタ本体２の空洞部２４とキャップ部材４とに挟持される。
【００２５】
一方、接続空間部２３の底部に開口する開口部２５は底蓋部材５により閉塞され、接続空間部２３は底蓋部材５に立設された仕切り部材５１により、上流側区画と下流側区画とに区画される。このとき、仕切り部材５１は、接続空間部２３の中央よりも上流側に位置しており、上流側区画は相対的に下流側区画より狭くなっている。また、底蓋部材５は複数の突起部５２がコネクタ本体２に形成された所定の凹部に係合されることにより、位置決めされると同時に回り止めされる。
【００２６】
次に、図３を参照してコネクタ１の使用方法について説明する。
【００２７】
まず、混注を行わないときには、図３Ａに示すように、コネクタ１は、混注口３１に注射筒の先端部６が挿入されておらず、混注口３１は閉じている。この状態で、輸液ラインから流入口２１を介して流入した輸液等の液体は、図３Ａに矢示するように、接続空間部２３の上流側の区画に流入した後、仕切り部材５１の表面に沿って空洞部２４に案内され、空洞部２４内で反転し、接続空間部２３の下流側の区画から流出口２２を介して輸液ラインに流出する。従って、コネクタ１によれば、従来は死空間となる空洞部２４に前記輸液等の液体を滞留させることなく輸液ラインに流出させることができる。
【００２８】
次に、混注を行うときには、図３Ｂに示すように、キャップ部材４の開口部４１から露出している弾性弁体３の上端面の混注口３１に注射筒の先端部６が挿入される。混注口３１は注射筒の先端部６が挿入されることにより空洞部２４に連通するが、このとき仕切り部材５１は、接続空間部２３の中央よりも上流側に位置している。そこで、注射筒の先端部６は相対的に上流側区画より広くなっている下流側区画に開口することとなり、注射筒の先端部６から供給される混注液を容易に前記輸液等の液体と混合して、流出口２２を介して輸液ラインに流出させることができる。
【００２９】
また、弾性弁体３は貫通孔３２ａにピン２６が挿通されているだけであり変形の自由度が大きいので、混注口３１に注射筒の先端部６が挿入されると容易に引き延ばされて先端部６と空洞部２４の内壁との間に入り、先端部６が抜去されると原形に復帰する。この結果、弾性弁体３は注射筒の先端部６の挿入及び抜去のたびに、前述のように引き延ばされては原形に復帰することを繰り返すこととなり、次第に劣化する。
【００３０】
しかし、コネクタ１は、弾性弁体３が貫通孔３２ａにピン２６が挿通された状態で空洞部２４とキャップ部材４とに挟持されているので、弾性弁体３が劣化してもキャップ部材４からの脱落を確実に防止することができる。
【００３１】
図１に示すコネクタ１は、突起部として空洞部２４の上端縁に６本の中実円柱状のピン２６を備えているが、ピン２６に代えて、図４に示す平面視円弧状の中実壁状突起２７を例えば４つ備えていてもよい。この場合、弾性弁体３は断面円形の貫通孔３２ａに代えて中実壁状突起２７に対応する平面視円弧状の貫通孔３２ｂを備えており、キャップ部材４は断面円形の穴４２ａに代えて中実壁状突起２７に対応する平面視円弧状の穴４２ｂを備えている。
【００３２】
図４に示すコネクタ１は、突起部としてピン２６よりも体積の大きな中実壁状突起２７を備えることにより、突起部の強度が大きくなっており、弾性弁体３が劣化してもキャップ部材４からの脱落をさらに確実に防止することができる。
【００３３】
また、図１に示すコネクタ１では、底蓋部材５がコネクタ本体２と別体に形成されているが、底蓋部材５はコネクタ本体２と一体に形成されていてもよい。
【符号の説明】
【００３４】
１…コネクタ、  ２…コネクタ本体、  ３…弾性弁体、  ４…キャップ部材、  ２１…流入口、  ２２…流出口、  ２３…接続空間部、  ２４…空洞部、  ２６，２７…突起部、  ３１…混注口、  ３２ａ，３２ｂ…貫通孔、  ４２ａ，４２ｂ…穴、  ５１…仕切り部材。
【図１】
2020099440.tif 000003
【図２】
2020099440.tif 000004
【図３】
2020099440.tif 000005
【図４】
2020099440.tif 000006